(57)【要約】【課題】本発明は、乾式ろ過集じん部に付着した固体粒子の清掃を容易に行うことができる焼却装置を提供することを目的としている。【解決手段】焼却装置１は、燃焼排ガスを乾式ろ過集じん部２を通すことにより、乾式ろ過集じん部２で前記燃焼排ガス中から固体粒子を除去して外気に放出する焼却装置１にあって、乾式ろ過集じん部２に水を噴射して乾式ろ過集じん部２に付着した前記固体粒子を除去する水噴射部３とを有し、焼却装置１の運転停止時に、水噴射部３より乾式ろ過集じん部２に水を噴射させて乾式ろ過集じん部２に付着した前記固体粒子を除去するものである。【選択図】図１
2004016840.tif 000002
【特許請求の範囲】
【請求項１】
燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部とを有し、
前記焼却装置の運転停止時に、前記水噴射部より前記乾式ろ過集じん部に水を噴射させて前記乾式ろ過集じん部に付着した前記固体粒子を除去する
ことを特徴とする焼却装置。
【請求項２】
燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部と、
燃焼排ガスを外気に導く通路と、
この通路内に前記乾式ろ過集じん部を設け、
前記乾式ろ過集じん部より滴下する前記固体粒子を含む水を前記通路の外へ導く排水通路を前記通路に接続している
ことを特徴とする焼却装置。
【請求項３】
燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部とを有し、
前記焼却装置の運転開始前に、前記水噴射部より前記乾式ろ過集じん部に水を噴射させて前記乾式ろ過集じん部に付着した前記固体粒子を除去する
ことを特徴とする焼却装置の運転方法。
【発明の詳細な説明】
【０００１】
本発明は、焼却装置及び焼却装置の運転方法に係り、特に、乾式ろ過集じん部に付着した固体粒子の清掃を容易に行うことができる焼却装置及び焼却装置の運転方法に関する。
【０００２】
【従来の技術と発明が解決しようとする課題】
焼却装置の燃焼排ガス中には有害な固体粒子が含まれているため、ろ過集じん部、例えば、フィルタ−により除去した後、外気に放出するようにしている。
そして、一定期間経過すると、ろ過集じん部への固体粒子の付着量が増大し、ろ過集じん部に目詰まりが生じ集じん効率が低下するため、清掃しなければならない。
清掃は、例えば、ろ過集じん部が配置されている室に防塵マスクをした人が入ってろ過集じん部に付着した固体粒子を真空ポンプを使って吸引して除去しており、大掛かりな人為的な清掃作業を伴うという問題点が生じた。
本発明は、上述した問題点を除去するようにした焼却装置及び焼却装置の運転方法を提供するものである。
【０００３】
【課題を解決するための手段】
上記目的を達成するために、請求項１記載の焼却装置は、燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部とを有し、前記焼却装置の運転停止時に、前記水噴射部より前記乾式ろ過集じん部に水を噴射させて前記乾式ろ過集じん部に付着した前記固体粒子を除去するものである。
【０００４】
また、請求項２記載の焼却装置は、燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部と、燃焼排ガスを外気に導く通路と、この通路内に前記乾式ろ過集じん部を設け、前記乾式ろ過集じん部より滴下する前記固体粒子を含む水を前記通路の外へ導く排水通路を前記通路に接続しているものである。
【０００５】
また、請求項３記載の焼却装置の運転方法は、燃焼排ガスを乾式ろ過集じん部を通すことにより、前記乾式ろ過集じん部で前記燃焼排ガス中から固体粒子を除去して外気に放出する焼却装置にあって、前記乾式ろ過集じん部に水を噴射して前記乾式ろ過集じん部に付着した前記固体粒子を除去する水噴射部とを有し、前記焼却装置の運転開始前に、前記水噴射部より前記乾式ろ過集じん部に水を噴射させて前記乾式ろ過集じん部に付着した前記固体粒子を除去するものである。
【０００６】
【実施例】
本発明の一実施例の焼却装置及び焼却装置の運転方法を図面を参照して説明する。
図１において、１は焼却装置で、焼却装置１は、燃焼排ガスを外気に導く通路Ｐを有している。
【０００７】
通路Ｐ内には、乾式ろ過集じん部２が設けられている。乾式ろ過集じん部２は、例えば、セラミックフィルタ−、金属繊維で形成されたフィルタ−、化学繊維で形成されたフィルタ−、複数の細孔を有した金属製フィルタ−（例えば、ステンレス又は耐蝕アルミ製のパンチグメタルの金属製フィルタ−）等である。
また、通路Ｐ内には、乾式ろ過集じん部２に水を噴射して乾式ろ過集じん部２に付着した固体粒子（燃焼排ガスの固体粒子）を除去する水噴射部３（水噴射部３は、具体的には、例えば、噴射口、ノズル等で形成する。）とを有している。
４は水タンクで、水タンク４内の水は、ポンプ５、水供給通路６を介して水噴射部３に供給されるようになっている。
【０００８】
７は、乾式ろ過集じん部２より滴下する固体粒子（燃焼排ガスの固体粒子）を含む水を通路Ｐの外へ導く排水通路で、排水通路７は通路Ｐに接続している。
排水通路７の一端は、回収タンク８に臨むように設けている。なお、回収タンク８に回収された固体粒子を含む水は、凝集剤等を使用して固形化される。
【０００９】
また、回収タンク８には、燃焼排ガスを冷却するために使用した水を回収するための、第１の排水通路９、第２の排水通路１０がそれぞれ設けられている。つまり、第１の排水通路９、第２の排水通路１０の一方の開放口は回収タンク８内にそれぞれ臨み、第１の排水通路９、第２の排水通路１０の他方の開放口は、通路Ｐにそれぞれ接続されている。
第１の排水通路９は燃焼炉の出口側の通路Ｐに、第２の排水通路１０は乾式ろ過集じん部２の入口側の通路Ｐに、それぞれ接続されている。
【００１０】
また、燃焼炉の出口側の通路Ｐを通過する燃焼排ガスは、第１の水タンク１１の水を共用ポンプ１２、第１の水供給通路１３、第１の水供給通路１３に設けられた散水口１４（又は噴霧ノズル）を介して散水（又は噴霧）して、また、乾式ろ過集じん部２の入口側の通路Ｐを通過する燃焼排ガスは、第１の水タンク１１の水を共用ポンプ１２、第２の水供給通路１５、第１の水供給通路１５に設けられた散水口１６（又は噴霧ノズル）を介して、散水（又は噴霧）して、燃焼排ガスをそれぞれ冷却するようにしている。
【００１１】
従って、燃焼排ガスは乾式ろ過集じん部２を通すことにより、乾式ろ過集じん部２で燃焼排ガス中から固体粒子を除去して外気に放出することとなる。なお、通路Ｐの先端は、排気筒１７に接続されている。
なお、ろ過集じん部２を一定期間使用すると、ろ過集じん部２への固体粒子の付着によりろ過集じん部２の集埃効率が低下するため、焼却装置１の運転停止時、例えば、焼却装置１の運転開始前に、水噴射部３より乾式ろ過集じん部２に水を噴射させて乾式ろ過集じん部２に付着した固体粒子を除去するようにしている。
また、約８００℃の燃焼排ガスは、散水口１４（又は噴霧ノズル）、散水口１６（又は噴霧ノズル）の散水（又は水の噴霧）により、ろ過集じん部２の入口側では、約２００℃程度に冷却されるようになっている。
【００１２】
【発明の効果】
請求項１記載の焼却装置によれば、乾式ろ過集じん部に水を噴射して前記乾式ろ過集じん部に付着した固体粒子を除去する水噴射部を設け、焼却装置の運転停止時に、水噴射部より乾式ろ過集じん部に水を噴射させて乾式ろ過集じん部に付着した固体粒子を除去するため、従来のような大掛かりな人為的な清掃作業を不要とすることができる。
【００１３】
また、請求項２記載の焼却装置によれば、上述した請求項１記載の発明の効果に加え、乾式ろ過集じん部より滴下する固体粒子を含む水を排水通路を通路の外へ導くことができるために、有害物質を含んだ水の処理を容易に行うことができる。
【００１４】
また、請求項３記載の焼却装置の運転方法によれば、乾式ろ過集じん部に水を噴射して前記乾式ろ過集じん部に付着した固体粒子を除去する水噴射部を設け、焼却装置の運転開始前に、水噴射部より乾式ろ過集じん部に水を噴射させて乾式ろ過集じん部に付着した固体粒子を除去するため、従来のような大掛かりな人為的な清掃作業を不要とすることができる。
【図面の簡単な説明】
【図１】図１は、本発明の一実施例の焼却装置の概略的構成図である。
【図２】図２は、図１の一部を拡大して示す概略的一部拡大斜視図である。
【符号の説明】
１　・・・・・焼却装置
２　・・・・・乾式ろ過集じん部
３　・・・・・水噴射部
【図１】
2004016840.tif 000003
【図２】
2004016840.tif 000004